(57)【要約】【課題】  故障原因の迅速な理解とその容易な対応ができる故障動作履歴表示方式を得る。【解決手段】本発明の故障動作履歴表示方式は、故障などの履歴データを記憶する履歴ファイル105と、ＰＬＣ200や機器300からの接点情報201と動作・操作・故障などの定義情報を取込み履歴ファイルに登録の処理を行う履歴登録処理部102と、履歴登録処理部の出力を表示処理する故障表示処理部111とを備え故障の検出と解析を行うもので、故障発生前の一定期間を故障の前兆期間として捉えて、この期間内に発生した故障に関係する機器の運転やオペレータ操作などの前兆情報を自動抽出し、これと類似の情報を履歴ファイルから抽出して表示する前兆情報処理部110を設けたものである【選択図】    図１
2006301910.tif 000002
【特許請求の範囲】
【請求項１】
故障などの履歴データを記憶する履歴ファイルと、ＰＬＣや機器からの接点情報と動作・操作・故障などの定義情報を取込み前記履歴ファイルに登録の処理を行う履歴登録処理部と、前記履歴登録処理部の出力を表示処理する故障表示処理部とを備え故障の検出と解析を行う故障動作履歴表示方式において、
故障発生前の一定期間を故障の前兆期間として捉えて、この期間内に発生した故障に関係する機器の運転やオペレータ操作などの前兆情報を自動抽出し、前記自動抽出した前兆情報と類似の情報を前兆情報処理部により前記履歴ファイルから抽出して表示することを特徴とする故障動作履歴表示方式。
【請求項２】
前記前兆情報処理部は、前記前兆情報を表示するための処理を行う前兆情報表示処理部と、過去の故障時に登録した故障説明と対処方法の情報を記憶した故障説明・対処方法ファイルと、前記故障説明と対処方法の情報を入力する入力部とからなることを特徴とする請求項１記載の故障動作履歴表示方式。
【請求項３】
前記前兆情報処理部は、前記前兆情報が無い時、その故障が一過性の故障であると推定することを特徴とする請求項１記載の故障動作履歴表示方式。
【請求項４】
前記前兆情報が存在し、過去の類似の故障動作履歴データない時、前記故障説明・対処方法の情報入力を促すことを特徴とする請求項２記載の故障動作履歴表示方式。
【発明の詳細な説明】
【技術分野】
【０００１】
この発明は、故障復旧や解析のための支援機能を持つ故障動作履歴表示方式に関するものである。
【背景技術】
【０００２】
従来の故障動作履歴表示方式を図４に示す。図において、100はパソコン、200はＰＬＣ、300は機器である。パソコン100は、履歴登録処理部102、故障表示処理部104、動作・操作・故障などの履歴を記憶する履歴ファイル105からなる。ＰＬＣ200は接点情報201を有する。なお、101は動作・操作・故障などを定義し記憶した定義情報ファイルである。
ＰＬＣ200の接点情報201は、通信などの手段で機器300から受信した運転情報、故障情報およびオペレータの操作情報などと、ＰＬＣ200内部で機器300の運転に関わる制御情報を演算した結果である。接点情報201は、通信などの手段で定期的に受信している。定義情報ファイル101は、接点情報201の各BIT位置とそのON/OFF変化に対する意味付けをしたデータ、例えば、設備名、機器名、状態情報などを格納している。
履歴登録処理部102は、接点情報201の変化を定周期にチェックして、例えば、接点の１番目がON変化し、それが定義情報ファイル101において、設備名=ポンプ設備、機器名=No.1排水ポンプ、状態=過負荷と定義されていれば、履歴ファイル105に発生時刻を付加して、「2004/10/17 10:00:00 ポンプ設備  No.1排水ポンプ  過負荷」を登録するものである。割り込み信号103は、履歴登録処理102が履歴ファイル105への登録時に故障表示処理部104を起動する。図５に示すように、故障表示処理104は割り込み信号103を受けて履歴ファイル105の内容、すなわち故障動作の履歴を表示する。図５の故障動作履歴表示欄400の状態欄401では、「過負荷」、「配水量変更」、「運転」などの表示がされている。
また、他の故障履歴を表示させる方法として、ユーザの情報検索の履歴を管理する履歴管理部を備えたデータ表示方式が開示されている(例えば、特許文献１参照)。
【特許文献１】特開２０００−９９５３２号公報(第５図)
【発明の開示】
【発明が解決しようとする課題】
【０００３】
ところが、従来の故障動作履歴表示は、故障発生の原因の一つである故障発生前のオペレータ操作や機器の動作に関連した前兆情報が活用されておらず、故障復旧や解析のための支援機能としては不十分であった。
そこで、本発明はこのような問題点に鑑みてなされたものであり、故障原因の迅速な理解とその容易な対応ができる故障動作履歴表示方式を提供することを目的とする。
【課題を解決するための手段】
【０００４】
上記課題を解決するため、本発明はつぎのように構成したものである。
請求項１記載の発明は、故障などの履歴データを記憶する履歴記憶ファイルと、ＰＬＣや機器からの接点情報と動作・操作・故障などの定義情報を取込み前記履歴ファイルに登録の処理を行う履歴登録処理部と、前記履歴登録処理部の出力を表示処理する故障表示処理部とを備え故障の検出と解析を行う故障動作履歴表示方式において、故障発生前の一定期間を故障の前兆期間として捉えて、この期間内に発生した故障に関係する機器の運転やオペレータ操作などの前兆情報を自動抽出し、前記自動抽出した前兆情報と類似の情報を前兆情報処理部により前記履歴ファイルから抽出して表示するものである。
請求項２記載の発明は、前記前兆情報処理部が、前記前兆情報を表示するための処理を行う前兆情報表示処理部と、過去の故障時に登録した故障説明と対処方法の情報を記憶した故障説明・対処方法ファイルと、前記故障説明と対処方法の情報を入力する入力部とからなるものである。
請求項３記載の発明は、前記前兆情報処理部が、前記前兆情報が無い時、その故障が一過性の故障であると推定するものである。
請求項４記載の発明は、前記前兆情報が存在し、過去の類似の故障動作履歴データない時、前記故障説明・対処方法の情報の入力を促すものである。
【発明の効果】
【０００５】
本発明によれば、類似の故障について対応の故障説明・対処方法が登録されており、ガイダンス表示できるので、故障原因の迅速な理解とその容易な対応ができる。また、機器故障、オペレータ操作ミス、機器制御ソフトの不良など故障原因の層別ができるので、設備管理レベルが向上する。
【発明を実施するための最良の形態】
【０００６】
以下、本発明の具体的実施例を図に基づいて説明する。
【実施例１】
【０００７】
図１は、本発明の故障動作履歴表示方式を示すブロック図である。図において、110は前兆情報処理部、111は前兆情報表示処理部、112は故障説明・対処方法ファイル、113は入力部である。その他の符号は従来と同じ機能であるため説明を省略する。
履歴登録処理部102は、従来と同様に接点情報201の変化を定周期にチェックして、例えば、接点の１番目がON変化し、それが定義情報ファイル101において、設備名=ポンプ設備、機器名=No.1排水ポンプ、状態=過負荷と定義されていれば、履歴ファイル107に発生時刻を付加して、「2004/10/17 10:00:00 ポンプ設備  No.1排水ポンプ  過負荷  ” ”」を登録するものである。ここで、最後の” ”は、後で説明する故障説明・対処方法へのリンクが空であることを示す。
割り込み信号103は、履歴登録処理102が履歴ファイル105への登録時に故障表示処理部104を起動する。図２に示すように、故障表示処理104は割り込み信号103を受けて履歴ファイル105の内容を、故障動作の履歴を表示する。図２の画面表示では、故障動作履歴表示欄400の他に、類似故障パターン表示欄500および故障説明や対処方法が説明されている説明表示欄600を設けている。
つぎに、本実施例の動作について図３を用いて説明する。  
図３は前兆情報処理部110の処理の流を示すフローチャートである。
（１）故障が発生すると、前兆情報表示処理部111は、前兆情報の有無をチェックする（ＳＴ１）。これは故障発生時刻を基準にして、過去一定時間、例えば１分以内にシステムの動作やオペレータの操作に関連した履歴データが有るかを検索する。
（２）履歴データがないと判断した場合は、そのまま終りとなるが、前兆情報があると判断した場合は、類似の前兆パターンがあるかどうかを、履歴ファイル105を検索しチェックする（ＳＴ２）。前兆情報が無い場合、一過性の故障であると推定する。
（３）類似の前兆パターンがあると判断した場合は、それに故障説明・対処方法ファイル112へのリンク105aが登録されているかをチェックする（ＳＴ３）。ここで、前兆パターンとは、１つの故障情報と１つ以上の「過去一定時間内に発生したシステムの動作やオペレータの操作情報」をいう。
（４）リンクがあり故障説明・対処方法が登録されている場合は、過去の類似故障パターンの前兆情報501とコメント欄600の故障説明と対処情報を表示して（ＳＴ４）、終了する。また、故障に対して、前兆パターンが複数あった場合は前兆と故障の相関が強いので、前兆パターンの数を、相関の強さを示す情報マッチングパターン数として表示する。
（５）前述の（２）項のＳＴ２において類似の前兆パターンがなく、新規パターンであると判断した場合、又は前述の（３）項のＳＴ３において既知のパターンであるが、故障説明と対処情報が無い場合は、故障の真因を解析し故障復旧対応の後、次の同一故障発生に備えて、故障説明・対処方法を入力する（ＳＴ５、ＳＴ６）。さらに、該当故障から故障説明・対処方法へのリンク105aを張る。
このような手段を用いることにより、故障原因の迅速な理解とその容易な対応ができる。
【図面の簡単な説明】
【０００８】
【図１】本発明の故障動作履歴表示方式を示すブロック図
【図２】本発明の故障動作履歴の表示例を示す画面
【図３】本発明の前兆情報処理部を示すフローチャート
【図４】従来の故障動作履歴表示方式を示すブロック図
【図５】従来の故障動作履歴の表示例を示す画面例
【符号の説明】
【０００９】
１００  パソコン
１０１  定義情報ファイル（動作・操作・故障）
１０２  履歴登録処理部
１０３  割り込み信号
１０４  故障表示処理部
１０５  履歴ファイル
１１０  前兆情報処理部
１１１  前兆情報表示処理部
１１２  故障説明・対処方法ファイル
１１３  入力部
２００  ＰＬＣ
２０１  接点情報
３００  機器
【図１】
2006301910.tif 000003
【図２】
2006301910.tif 000004
【図３】
2006301910.tif 000005
【図４】
2006301910.tif 000006
【図５】
2006301910.tif 000007